(57)【特許請求の範囲】
【請求項１】
複数の辞書名毎に階層構造の複数の目次データを対応づけて記憶する目次データ記憶手段と、
この目次データ記憶手段により記憶された各辞書ごとの各目次データのそれぞれについて説明情報を対応づけて、説明情報付き目次データとして記憶する説明情報記憶手段と、
複数のキーワードを入力するキーワード入力手段と、
前記説明情報記憶手段により記憶された各辞書毎の各説明情報付き目次データのうちで、前記キーワード入力手段により入力された複数のキーワードのうち何れかのキーワードが前記説明情報記憶手段により記憶された説明情報に含まれ、かつ、同入力された他のキーワードが当該説明情報若しくは対応する上位の階層の目次データに含まれる説明情報付き目次データを検索する検索手段と、
この検索手段により検索された説明情報付き目次データに対応する説明情報を表示させる説明情報表示制御手段と、
を備えたことを特徴とする目次データ検索制御装置。
【請求項２】
さらに、
前記検索手段により検索された複数の説明情報付き目次データの一部の情報を一覧表示させる検索目次一覧表示制御手段を備え、
前記説明情報表示制御手段は、前記検索目次一覧表示制御手段により一覧表示された複数の説明情報付き目次データの一部の情報の中でユーザ操作に応じて指定された説明情報付き目次データに対応する説明情報を表示させる、
ことを特徴とする請求項１に記載の目次データ検索制御装置。
【請求項３】
前記検索目次一覧表示制御手段は、前記検索手段により検索された複数の説明情報付き目次データに対応する説明情報の直上の階層の目次データが同一である説明情報付き目次データについては、これらを纏めて１項目として当該目次データを一覧表示させる、
ことを特徴とする請求項２に記載の目次データ検索制御装置。
【請求項４】
さらに、
前記検索目次一覧表示制御手段により一覧表示された複数の説明情報付き目次データの中でユーザ操作に応じて指定された説明情報付き目次データに対応する同一辞書内での上位階層の目次データを一覧表示させる上位目次一覧表示制御手段を備えたことを特徴とする請求項２または請求項３に記載の目次データ検索制御装置。
【請求項５】
複数の辞書名毎に階層構造の複数の目次データを対応づけて記憶する目次データ記憶手段と、この目次データ記憶手段により記憶された各辞書ごとの各目次データのそれぞれについて説明情報を対応づけて、説明情報付き目次データとして記憶する説明情報記憶手段とを有する目次データ検索装置のコンピュータを制御するための目次データ検索制御プログラムであって、
前記コンピュータを、
ユーザ操作に応じて複数のキーワードを入力するキーワード入力手段、
前記説明情報記憶手段により記憶された各辞書ごとの各説明情報付き目次データのうちで、前記キーワード入力手段により入力された複数のキーワードのうち何れかのキーワードが前記説明情報記憶手段により記憶された説明情報に含まれ、かつ、同入力された他のキーワードが当該説明情報若しくは対応する上位の階層の目次データに含まれる説明情報付き目次データを検索する検索手段、
この検索手段により検索された説明情報付き目次データに対応する説明情報を表示させる説明情報表示制御手段、
として機能させるようにしたコンピュータ読み込み可能な目次データ検索制御プログラム。
【発明の詳細な説明】
【技術分野】
【０００１】
本発明は、電子データ化した辞典，辞書，専門書など種々の書籍のデータベースを記憶して任意のキーワードに関係した説明情報を検索表示するための目次データ検索制御装置および目次データ検索制御プロクラムに関する。
【背景技術】
【０００２】
従来から、国語辞典，英和辞典，和英事典などの各種の辞典や辞書を電子データ化してＲＯＭなどの記憶媒体に格納し、これに基づき各種の言語や語句を検索語として入力し、その訳語や意味内容、また例文などの説明情報を検索して表示するようにした電子辞書装置が広く汎用されている。
【０００３】
近年このような電子辞書装置では、各種の辞書データベースのそれぞれにおいて多数の辞書が搭載されるようになっているだけでなく、料理、社会、地理、医学など、様々な分野・事柄における説明を記述した専門書籍のデータも搭載あるいはメモリカードやインターネットから追加で取り込まれて利用されている。
【０００４】
そして、このような専門書籍のデータベースから、ユーザ所望の分野における特定の事柄の説明情報、例えばトマトを主要なレシピとして含む健康に良い料理についての情報を検索して見ようとした場合、先ず、書籍名の一覧から料理に関係する書籍や医学・健康に関係する書籍名を見つけ出し、さらにその中の階層的な目次から健康や食事に関係すると思われる直近の目次を見つけ出し、さらにその中でトマト料理の関係項目を見つけ出すという、通常我々が図書館などで調べものをする場合と同様の煩雑な手順を追って検索操作しなければならない。
【０００５】
一方で、例えば論文を掲載した雑誌のバックナンバから、複数のキーワードを含む論文とその雑誌名・発行Ｎｏを検索できるようにした電子図書館システムが考えられている（例えば、特許文献１参照。）。
【特許文献１】特開２００３−０９１５４３号公報
【発明の開示】
【発明が解決しようとする課題】
【０００６】
前記従来の電子図書館システムでは、複数のキーワードを含む目次（項目）を頼りに検索処理するものであるため、例えば論文名「トマトを使用した健康食についての研究」など、元々論文はその論文名の記述としてその内容までもある程度表現するような記述となっており、キーワードを「トマト＋健康」などと入力することで適切な検索処理が可能である。
【０００７】
しかしながら、収録した多数の書籍データベースの中から、例えば「健康と食事」という専門書内のトマト料理について検索したい場合、「健康＋トマト」をキーワードとして入力しても、当該「健康と食事」の最下層に位置し検索目標とする特定のトマト料理についての段落には、「トマト」との用語については出てきても「健康」との用語については出てこないような記述形態が同専門書等には多いため、この適切なトマト料理についての段落を速やかに検索処理することができないなどの問題がある。
【０００８】
本発明は、このような課題に鑑みなされたもので、階層構造の目次を有する専門書籍などのデータベースにあっても、入力された複数のキーワードに従い適切な説明情報を検索することが可能になる目次データ検索制御装置および目次データ検索制御プロクラムを提供することを目的とする。
【課題を解決するための手段】
【０００９】
請求項１に記載の目次データ検索制御装置は、複数の辞書名毎に階層構造の複数の目次データを対応づけて記憶する目次データ記憶手段と、この目次データ記憶手段により記憶された各辞書ごとの各目次データのそれぞれについて説明情報を対応づけて、説明情報付き目次データとして記憶する説明情報記憶手段と、複数のキーワードを入力するキーワード入力手段と、前記説明情報記憶手段により記憶された各辞書毎の各説明情報付き目次データのうちで、前記キーワード入力手段により入力された複数のキーワードのうち何れかのキーワードが前記説明情報記憶手段により記憶された説明情報に含まれ、かつ、同入力された他のキーワードが当該説明情報若しくは対応する上位の階層の目次データに含まれる説明情報付き目次データを検索する検索手段と、この検索手段により検索された説明情報付き目次データに対応する説明情報を表示させる説明情報表示制御手段と、を備えたことを特徴としている。
【発明の効果】
【００１４】
本発明の請求項１（請求項５）に記載の目次データ検索制御装置（目次データ検索制御プログラム）によれば、キーワード入力手段により複数のキーワードが入力されると、説明情報記憶手段により記憶された各辞書ごとの各説明情報付き目次データのうちで、入力された複数のキーワードのうち何れかのキーワードが前記説明情報記憶手段により記憶された説明情報に含まれ、かつ、同入力された他のキーワードが当該説明情報若しくは対応する上位の階層の目次データに含まれる説明情報付き目次データが検索され、この検索された説明情報付き目次データに対応する説明情報が表示されるので、この検索表示された説明情報の内容には前記入力された複数のキーワードの何れかしか含まれていなくても、当該複数のキーワードに沿った適切な情報を検索して表示できるようになる。
【００１９】
よって、本発明によれば、階層構造の目次を有する辞書のデータベースにあっても、入力された複数のキーワードに従い適切な説明情報を検索することが可能になる目次データ検索制御装置および目次データ検索制御プロクラムを提供できる。
【発明を実施するための最良の形態】
【００２０】
以下図面により本発明の実施の形態について説明する。
【００２１】
図１は、本発明の目次データ検索制御装置の実施形態に係る携帯機器（電子辞書）１０の電子回路の構成を示すブロック図である。
【００２２】
この携帯機器（電子辞書）１０は、以下に説明する電子辞書機能を備えたＰＤＡ(personal digital assistants)、ＰＣ(personal computer)、携帯電話、電子ブックとして構成されるか、電子辞書専用の携帯機器として構成される。この携帯機器（電子辞書）１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００２３】
ＣＰＵ１１は、メモリ１２内に予め記憶された装置制御プログラム、あるいはＲＯＭカードなどの外部記憶媒体１３から記憶媒体読取部１４を介して前記メモリ１２に読み込まれた装置制御プログラム、あるいはインターネットＮ上のＷｅｂサーバ（この場合はプログラムサーバ）２０から通信部１５を介して前記メモリ１２に読み込まれた装置制御プログラムに応じて、回路各部の動作を制御するもので、前記メモリ１２に記憶された装置制御プログラムは、キーやタッチパネルからなる入力部１６からのユーザ操作に応じた入力信号、あるいは通信部１５を介して接続されるインターネットＮ上の各Ｗｅｂサーバ２０…との通信信号、あるいは記憶媒体読取部１４を介して外部接続されるＥＥＰＲＯＭ，ＲＡＭ，ＲＯＭなどのメモリカード（記憶媒体）１３との接続通信信号に応じて起動される。
【００２４】
前記ＣＰＵ１１には、前記メモリ１２、記憶媒体読取部１４、通信部１５、入力部１６が接続される他に、ＬＣＤからなる表示部１７などが接続される。
【００２５】
メモリ１２には、当該携帯機器（電子辞書）１０の全体の動作を司るシステムプログラムや通信部１５を介してインターネットＮ上の各Ｗｅｂサーバ２０…とデータ通信するための通信プログラムが記憶される他に、新たに必要な辞書・辞典データや料理，社会，地理，医学など、様々な分野・事柄における書籍データを電子書籍管理用のＷｅｂサーバ２０やメモリカード（記憶媒体）１３からダウンロードしたり、辞書・辞典データ（１２ｂ）や他書籍データ（１２ｃ）に基づき検索語やキーワードの入力に応じた訳語や意味内容などの各種説明情報を検索したりするための辞書制御プログラム１２ａが記憶される。
【００２６】
また、このメモリ１２には、辞書・辞典データメモリ１２ｂ、他書籍データメモリ１２ｃ、検索文字データメモリ１２ｄ、キーワードデータメモリ１２ｅ、検索リストデータメモリ１２ｆ、およびワークエリア１２ｇなどが用意される。
【００２７】
辞書・辞典データメモリ１２ｂには、「国語辞典」「漢和辞典」「英和辞典」「和英辞典」など、種類の異なる多数の辞書データ（例えば１４辞書）が予め、あるいはダウンロードされて複数辞書記憶されるもので、例えば「広○苑」「マイ百科事典」「カタカナ辞典」「漢○林」「ジュニア英和」「シ＊ニアス英和」「リ＊ダーズ英和」「リ＊ダーズα英和」「ジュニア和英」「シ＊ニアス和英」「医学事典」「中国語辞典」「古語辞典」「ＩＴ用語辞典」が記憶される。
【００２８】
他書籍データメモリ１２ｃには、「健康と食事」「血液サラサラ健康辞典」「食品流通ハンドブック」「おいしい健康食シリーズ」「日本人の知識」「家庭の医学」「方言辞典」「旅ハンドブック」など、様々な分野・事柄における書籍データが予め、あるいはダウンロードされて複数書籍記憶される
検索文字データメモリ１２ｄには、単語や例文に対応した訳語や意味内容などの説明情報を検索するためのユーザ入力された検索語が記憶される。
【００２９】
キーワードデータメモリ１２ｅには、様々な物事に対応した説明情報を検索するためのユーザ入力されたキーワードが、例えばキーワード１〜キーワード３まで必要に応じて記憶される。
【００３０】
検索リストデータメモリ１２ｆには、前記キーワードデータメモリ１２ｅに記憶されたキーワードが含まれているところの目次を含む説明情報が前記他書籍データメモリ１２ｃに記憶された各書籍データや前記辞書・辞典データメモリ１２ｂに記憶された各辞書・辞典データから検索され「説明情報付き目次データ」のリストとして記憶される。
【００３１】
この検索リストデータメモリ１２ｆにおいて、キーワード１が含まれる「説明情報付き目次データ」はリストＡ、キーワード２が含まれる「説明情報付き目次データ」はリストＢ、リストＡ＋Ｂの両方に含まれる「説明情報付き目次データ」はリストＡＢ、リストＡの「説明情報付き目次データ」の上位階層の目次データにキーワード２が含まれるその「説明情報付き目次データ」はリストＡｂ、リストＢの「説明情報付き目次データ」の上位階層の目次データにキーワード１が含まれるその「説明情報付き目次データ」はリストａＢ、リストＡＢ＋Ａｂ＋ａＢの各「説明情報付き目次データ」から重複を除いた各「説明情報付き目次データ」はリストＥ、キーワード３が含まれる「説明情報付き目次データ」はリストＣ、リストＥ＋Ｃの両方に含まれる「説明情報付き目次データ」はリストＥＣ、リストＥの「説明情報付き目次データ」の上位階層の目次データにキーワード３が含まれるその「説明情報付き目次データ」はリストＥｃ、リストＡの「説明情報付き目次データ」の上位階層の目次データにキーワード２と３が含まれるその「説明情報付き目次データ」はリストＡｂｃ、リストＢの「説明情報付き目次データ」の上位階層の目次データにキーワード１と３が含まれるその「説明情報付き目次データ」はリストａＢｃとして保存される。そして最終的に、キーワード１，２である場合に前記リストＥがリストＦ、キーワード１，２，３である場合に前記各リストに基づきキーワード１〜３の少なくとも１つのキーワードが含まれ且つその他のキーワードが上位階層の目次データに含まれるその「説明情報付き目次データ」がリストＦとして保存される。
【００３２】
すなわち、検索リストデータメモリ１２ｆには、最終的に、キーワード１〜ｎの少なくとも１つのキーワードが含まれ且つその他のキーワードが上位階層の目次データに含まれるその「説明情報付き目次データ」がリストＦとして保存される。
【００３３】
ワークエリア１２ｇには、前記辞書制御プログラム１２ａなどの各種の装置制御プログラムに従いＣＰＵ１１に入出力される種々のデータが必要に応じて記憶される。
【００３４】
入力部１６のキーボードパネルには、ひらがな，カタカナ，漢字，英数字を任意入力するための一連の文字入力キーが配列されると共に、辞書・辞典データメモリ１２ｂに記憶されている辞書データを対象にして入力検索語に対応する見出語およびその説明情報の検索を行うための「辞書検索」キー、同辞書・辞典データメモリ１２ｂに記憶されている辞書データおよび他書籍データメモリの１２ｃに記憶されている各書籍データの全辞書データベースを対象にして入力キーワードに対応する説明情報付き目次データの検索を行うための「全辞書目次検索」キーなどが備えられる。
【００３５】
次に、前記構成の携帯機器（電子辞書）１０による目次データ検索制御機能について説明する。
【００３６】
図２は、前記携帯機器（電子辞書）１０による全辞書目次検索処理（その１）を示すフローチャートである。
【００３７】
図３は、前記携帯機器（電子辞書）１０による全辞書目次検索処理（その２）を示すフローチャートである。
【００３８】
図４は、前記携帯機器（電子辞書）１０での全辞書目次検索処理（その１）に伴う該当目次リスト取得処理を示すフローチャートである。
【００３９】
図５は、前記携帯機器（電子辞書）１０での全辞書目次検索処理（その１）に伴うキーワード１「トマト」の入力操作表示状態を示す図である。
【００４０】
図６は、前記携帯機器（電子辞書）１０での全辞書目次検索処理（その１）（その２）に伴うキーワード２「健康」の入力操作表示状態および当該キーワード１＋２に従った全辞書目次検索表示状態を示す図である。
【００４１】
図７は、前記携帯機器（電子辞書）１０での全辞書目次検索処理（その１）（その２）に伴いキーワード検索される説明情報付き目次データの各「見出し」に対応した各辞典・辞書・書籍名とその目次の階層構造を示す図である。
【００４２】
例えば健康に良いトマト料理についての情報を全辞書・辞典・書籍データ（１２ｂ＋１２ｃ）を元にして検索したい場合に、入力部１６の「全辞書目次検索キー」が操作されて全辞書・辞典・書籍対象の目次検索モードが起動されると、図５（Ａ）に示すように、キーワード入力画面Ｇ１が表示部１７に表示されると共に、キーワードデータメモリ１２ｅにて管理されるキーワード番号ｉ＝０に初期化された後（ステップＳ１）、当該キーワード番号ｉ＝１にセットされる（ステップＳ２）。
【００４３】
このキーワード入力画面Ｇ１において、入力部１６における文字入力キー１６ａのユーザ操作により、先ず「とまと」とキーワード１の検索文字が入力されると（ステップＳ３）、図５（Ｂ）に示すように、当該検索文字「とまと」に応じた候補キーワードの一覧画面Ｇ２が表示される（ステップＳ４）。
【００４４】
この候補キーワード一覧画面Ｇ２の表示状態にあって、反転カーソルＫの移動操作によりキーワード１として「トマト」が選択され「決定」キー１６ｂが操作されると（ステップＳ５）、図５（Ｃ）に示すように、キーワード入力画面Ｇ１に戻り、キーワード１「トマト」として入力表示されると共に、キーワードデータメモリ１２ｅ内に設定登録される（ステップＳ６）。
【００４５】
ここで、図４における該当目次リスト取得処理に移行するための「決定」キー１６ｂの操作が無いと判断されると共に（ステップＳ７（Ｎｏ））、現在のキーワード番号ｉ＝１でありｉ＝３未満であると判断されると（ステップＳ８（Ｎｏ））、前記ステップＳ２〜Ｓ６の処理が繰り返し実行され、図６（Ｄ）（Ｅ）に示すように、ユーザ操作に応じたキーワード２「健康」がキーワード入力画面Ｇ１上に追加入力表示されると共に、キーワードデータメモリ１２ｅ内に設定登録される。
【００４６】
そして、前記キーワード入力画面Ｇ１上に入力表示されたキーワード１「トマト」＋キーワード２「健康」の２つのキーワードに基づいた該当目次リスト取得処理（図４参照）を行うべく、入力部１６の「決定」キー１６ｂが操作されると（ステップＳ７）、この図４における該当目次リスト取得処理（ステップＳＡ）へ移行される。
【００４７】
この図４における該当目次リスト取得処理が起動されると、先ず前記キーワードデータメモリ１２ｅに設定登録されているキーワード１「トマト」が読み出される（ステップＡ１）。
【００４８】
そして、このキーワード１「トマト」が含まれる説明情報及びその目次のデータが全辞書・辞典・書籍データ（１２ｂ＋１２ｃ）の中から検索され、この検索された説明情報付き目次データはリストＡとして検索リストデータメモリ１２ｆに保存される（ステップＡ２）。
【００４９】
なお、説明情報付き目次データとは、辞書・辞典・書籍における各目次とその目次の下位に続いて含まれる説明情報のことを言い、この場合は、目次又はその説明情報の一方か両方にキーワード１「トマト」が含まれる説明情報付き目次データがリストＡとして保存される。
【００５０】
ここで、キーワード２が設定登録されていない場合には、前記リストＡであるキーワード１のみが含まれた説明情報付き目次データが最終リストＦとして検索リストデータメモリ１２ｆに保存される（ステップＡ３→Ａ４）。
【００５１】
一方、キーワード２が設定登録されている場合には、このキーワード２「健康」が含まれる説明情報及びその目次のデータが全辞書・辞典・書籍データ（１２ｂ＋１２ｃ）の中から検索され、この検索された説明情報付き目次データはリストＢとして検索リストデータメモリ１２ｆに保存される（ステップＡ３→Ａ５）。
【００５２】
すると、前記キーワード１「トマト」を含む各説明情報付き目次データのリストＡと前記キーワード２「健康」含む各説明情報付き目次データのリストＢとの両方に共通して含まれる説明情報付き目次データが抽出され、キーワード１「トマト」およびキーワード２「健康」の両方を含む各説明情報付き目次データのリストＡＢとして検索リストデータメモリ１２ｆに保存される（ステップＡ６）。
【００５３】
一方、前記リストＡとして保存されたキーワード１「トマト」を含む各説明情報付き目次データのうち、それぞれその上位階層の目次データ（辞典・辞書・書籍名も含む）としてキーワード２「健康」が含まれる説明情報付き目次データが抽出され、下位層にキーワード１「トマト」を含みその上位層にキーワード２「健康」を含む説明情報付き目次データのリストＡｂとして検索リストデータメモリ１２ｆに保存される（ステップＡ７）。
【００５４】
また、前記リストＢとして保存されたキーワード２「健康」を含む各説明情報付き目次データのうち、それぞれその上位階層の目次データ（辞典・辞書・書籍名も含む）としてキーワード１「トマト」が含まれる説明情報付き目次データが抽出され、下位層にキーワード２「健康」含みその上位層にキーワード１「トマト」を含む説明情報付き目次データのリストａＢとして検索リストデータメモリ１２ｆに保存される（ステップＡ８）。
【００５５】
そして、前記ステップＡ６にて得られたキーワード１「トマト」およびキーワード２「健康」の両方を含む各説明情報付き目次データのリストＡＢ、および前記ステップＡ７にて得られた下位層にキーワード１「トマト」を含みその上位層にキーワード２「健康」を含む説明情報付き目次データのリストＡｂ、および前記ステップＡ８にて得られた下位層にキーワード２「健康」を含みその上位層にキーワード１「トマト」を含む説明情報付き目次データのリストａＢの中から、重複した説明情報付き目次データの除かれた各説明情報付き目次データがリストＥとして検索リストデータメモリ１２ｆに保存される（ステップＡ９）。
【００５６】
ここで、キーワード３が設定登録されていない場合には、前記キーワード１「トマト」およびキーワード２「健康」の両方を含む説明情報付き目次データ、および下位層にキーワード１「トマト」含みその上位層にキーワード２「健康」を含む説明情報付き目次データ、および下位層にキーワード２「健康」含みその上位層にキーワード１「トマト」を含む説明情報付き目次データからなるリストＥが最終リストＦとして検索リストデータメモリ１２ｆに保存される（ステップＡ１０→Ａ１１）。
【００５７】
一方、さらにキーワード３が設定登録されている場合には、このキーワード３が含まれる各説明情報付き目次データがリストＣ、リストＥ＋Ｃの両方に含まれる各説明情報付き目次データがリストＥＣ、リストＥの各説明情報付き目次データの上位階層の目次データにキーワード３が含まれるその説明情報付き目次データがリストＥｃ、リストＡの各説明情報付き目次データの上位階層の目次データにキーワード２と３が含まれるその説明情報付き目次データがリストＡｂｃ、リストＢの各説明情報付き目次データの上位階層の目次データにキーワード１と３が含まれるその説明情報付き目次データがリストａＢｃとして順次取得され、これら各リストに基づいて、キーワード１〜３の少なくとも１つのキーワードが含まれ且つその他のキーワードが上位階層の目次データに含まれるその「説明情報付き目次データ」が最終リストＦとして検索リストデータメモリ１２ｆに保存される（ステップＡ１０→Ａ１２）。
【００５８】
そして、前記キーワード１のみである場合には当該キーワード１のみが含まれた各説明情報付き目次データの最終リストＦ（ステップＡ４）、または前記キーワード１＋２である場合には当該キーワード１，２の何れか一方のキーワードが含まれ且つその他方のキーワードが上位階層の目次データに含まれるその各説明情報付き目次データの最終リストＦ（ステップＡ１１）、または前記キーワード１＋２＋３である場合には当該キーワード１〜３の少なくとも１つのキーワードが含まれ且つその他のキーワードが上位階層の目次データに含まれるその各説明情報付き目次データの最終リストＦ（ステップＡ１２）について、そのリストＦの各説明情報付き目次データのうち直上の階層にある目次データが同一であるものが纏められ編集処理される（ステップＡ１３）。
【００５９】
すると、前記最終リストＦの各説明情報付き目次データが、図６（Ｆ）に示すように、それぞれその書籍名に対応するアイコンに対応付けられて表示部１７の左エリアに検索目次一覧画面Ｇ３ａとして表示される（ステップＳ９）。ここで、前記ステップＡ１３におおいて、直上の階層にある目次データが同一であるとして纏められた説明情報付き目次データがある場合には、当該各説明情報付き目次データはその纏められた直上階層の目次データとして検索目次一覧画面Ｇ３ａに表示される。
【００６０】
すなわち、例えば前記２つのキーワード「トマト」「健康」が入力された場合には、図７に示すように、その説明情報にキーワード１「トマト」を含み、その上位階層の目次（含む書籍名）の何れかにキーワード２「健康」を含む各書籍「血液サラサラ健康辞典」「食品流通ハンドブック」「おいしい健康食シリーズ」からその各説明情報付き目次データ（見出し）が検索されるようになり、前記図６（Ｆ）における検索目次一覧画面Ｇ３ａとして表示される。
【００６１】
そして、この表示部１７の左エリアに表示された検索目次一覧画面Ｇ３ａでは、その先頭の目次データが反転カーソルＫにより指定表示され（ステップＳ１０）、当該指定表示された目次データの下位層にある目次データのメニュー、または当該指定表示された目次データが最下位層の説明情報である場合にはこの説明情報が指定目次内容プレビュー画面Ｇ３ｂとして表示部１７の右エリアに表示される（ステップＳ１１）。
【００６２】
こうして、ユーザ入力されたキーワードに対応して、図６（Ｆ）で示したように、表示部１７の左エリアに検索目次一覧画面Ｇ３ａが表示され、右エリアに指定目次内容プレビュー画面Ｇ３ｂが表示された状態で、上下方向のカーソルキーが操作された場合には（ステップＳ１２）、検索目次一覧画面Ｇ３ａ上の反転カーソルＫが指定の方向に移動されユーザ任意の検索目次データが指定表示される（ステップＳ１３）。
【００６３】
すると、新たに指定表示された検索目次データの下位層にある目次データのメニュー、または当該指定表示された目次データが最下位層の説明情報である場合には、この説明情報が指定目次内容プレビュー画面Ｇ３ｂとして表示部１７の右エリアに更新されて表示される（ステップＳ１４→Ｓ１５）。
【００６４】
そして、例えば図６（Ｆ）で示したように、検索目次一覧画面Ｇ３ａ上の目次データ「（血液サラサラ健康辞典）［トマトの玉ねぎ…」が指定表示された状態で、決定キー１６ｂが操作されると（ステップＳ１６）、さらにその下位層に目次データがあるか否か判断され（ステップＳ１７）、この場合には下位層の目次データ無しと判断されるので、図６（Ｇ）に示すように、前記指定表示の目次データ「（血液サラサラ健康辞典）［トマトの玉ねぎ…」に対応した説明情報が読み出され全画面表示Ｇ４として表示される（ステップＳ１７→Ｓ２３）。
【００６５】
このように、複数のキーワード「トマト」「健康」を入力して目次検索処理が実行されると、当該複数のキーワード「トマト」「健康」の何れか一方のキーワードが含まれ且つその他方のキーワードが上位階層の目次データに含まれる各説明情報付き目次データが全辞書・辞典・書籍データ（１２ｂ＋１２ｃ）の中から検索され、検索目次一覧画面Ｇ３ａとして各対応する書籍名アイコンと共に表示されると共に、反転カーソルＫにより指定されたところの説明情報を全画面表示するので、この検索表示された説明情報である［トマトの玉ねぎ・セロリソース］の内容に前記入力された複数のキーワード「トマト」「健康」のうち一方のみしか含まれていなくても、健康に良いトマト料理についての情報を適切に検索して表示できるようになる。
【００６６】
一方、前記検索目次一覧画面Ｇ３ａ上の任意の目次データが指定表示され（ステップＳ１０〜Ｓ１５）、決定キー１６ｂが操作された際に（ステップＳ１６）、さらにその下位層に目次データがあると判断された場合には（ステップＳ１７（Ｙｅｓ））、当該下位層の目次データが一覧表示される（ステップＳ１８）。
【００６７】
そして、このキーワード検索された目次データのうちの指定の目次データにおける下位層の目次データの一覧表示画面にあって、上下カーソルキーが操作されると、当該一覧表示されている各目次データの何れかを指定表示する反転カーソルＫが前記カーソル指定の方向に移動表示される（ステップＳ１９→Ｓ２０）。
【００６８】
そして、前記キーワード検索された目次データの一覧画面のうちのユーザ任意の目次データが選択指定表示された状態で決定キー１６ｂが操作されると、この選択指定表示されている目次データに対応した説明情報が読み出され全画面表示Ｇ４として表示される（ステップＳ２１→Ｓ２２→Ｓ２３）。
【００６９】
図８は、前記携帯機器（電子辞書）１０での全辞書目次検索処理（その１）に伴うキーワード１「敬語」の入力操作表示状態を示す図である。
【００７０】
図９は、前記携帯機器（電子辞書）１０での全辞書目次検索処理（その１）（その２）に伴うキーワード２「あげる」の入力操作表示状態および当該キーワード１＋２に従った全辞書目次検索表示状態を示す図である。
【００７１】
例えば言葉の使い方として敬語としての「あげる」についての情報を全辞書・辞典・書籍データ（１２ｂ＋１２ｃ）を元にして検索したい場合に、入力部１６の「全辞書目次検索キー」が操作されて全辞書・辞典・書籍対象の目次検索モードが起動されると、図８（Ａ）に示すように、キーワード入力画面Ｇ１が表示部１７に表示されると共に、キーワードデータメモリ１２ｅにて管理されるキーワード番号ｉ＝０に初期化された後（ステップＳ１）、当該キーワード番号ｉ＝１にセットされる（ステップＳ２）。
【００７２】
このキーワード入力画面Ｇ１において、入力部１６における文字入力キー１６ａのユーザ操作により、先ず「けいご」とキーワード１の検索文字が入力されると（ステップＳ３）、図８（Ｂ）に示すように、当該検索文字「けいご」に応じた候補キーワードの一覧画面Ｇ２が表示される（ステップＳ４）。
【００７３】
この候補キーワード一覧画面Ｇ２の表示状態にあって、反転カーソルＫの移動操作によりキーワード１として「敬語」が選択され「決定」キー１６ｂが操作されると（ステップＳ５）、図８（Ｃ）に示すように、キーワード入力画面Ｇ１に戻り、キーワード１「敬語」として入力表示されると共に、キーワードデータメモリ１２ｅ内に設定登録される（ステップＳ６）。
【００７４】
また、図９（Ｄ）（Ｅ）に示すように、前記ステップＳ２〜Ｓ６の処理が繰り返し実行され、ユーザ操作に応じたキーワード２「あげる」がキーワード入力画面Ｇ１上に追加入力表示されると共に、キーワードデータメモリ１２ｅ内に設定登録される。
【００７５】
そして、前記キーワード入力画面Ｇ１上に入力表示されたキーワード１「敬語」＋キーワード２「あげる」の２つのキーワードに基づいて「決定」キー１６ｂが操作されると（ステップＳ７）、前記同様に該当目次リスト取得処理（ステップＳＡ）（図４参照）へ移行され、当該キーワード１，２の何れか一方のキーワードが含まれ且つその他方のキーワードが上位階層の目次データに含まれるその各説明情報付き目次データの最終リストＦが検索・生成・保存される（ステップＡ１〜Ａ３→Ａ５〜Ａ１１）。
【００７６】
すなわち、例えば前記２つのキーワード「敬語」「あげる」が入力された場合には、図７に示すように、その説明情報にキーワード２「あげる」を含み、その上位階層の目次（含む書籍名）の何れかにキーワード１「敬語」を含む各書籍「敬語早分かり辞典」「日本語○×辞典」「言葉の作法辞典」からその各説明情報付き目次データ（見出し）が検索されるようになり、図９（Ｆ）に示すような検索目次一覧画面Ｇ３ａとして表示される（ステップＳＡ→Ｓ９）。
【００７７】
そして、この表示部１７の左エリアに表示された検索目次一覧画面Ｇ３ａでは、その先頭の目次データ（［敬語辞書］あげる「上げる」）が反転カーソルＫにより指定表示され（ステップＳ１０）、当該指定表示された目次データ（あげる「上げる」）の説明情報が指定目次内容プレビュー画面Ｇ３ｂとして表示部１７の右エリアに表示される（ステップＳ１１）。
【００７８】
そして、検索目次一覧画面Ｇ３ａ上の目次データ（［敬語辞書］あげる「上げる」）が指定表示された状態で、決定キー１６ｂが操作されると（ステップＳ１６）、図９（Ｇ）に示すように、前記指定表示の目次データ（［敬語辞書］あげる「上げる」）に対応した説明情報が読み出され全画面表示Ｇ４として表示される（ステップＳ１７→Ｓ２３）。
【００７９】
このように、複数のキーワード「敬語」「あげる」を入力して目次検索処理が実行されると、当該複数のキーワード「敬語」「あげる」の何れか一方のキーワードが含まれ且つその他方のキーワードが上位階層の目次データに含まれる各説明情報付き目次データが全辞書・辞典・書籍データ（１２ｂ＋１２ｃ）の中から検索され、検索目次一覧画面Ｇ３ａとして各対応する書籍名アイコンと共に表示されると共に、反転カーソルＫにより指定されたところの説明情報を全画面表示するので、この検索表示された説明情報である（あげる「上げる」）の内容に前記入力された複数のキーワード「敬語」「あげる」のうち一方のみしか含まれていなくても、言葉の使い方として敬語としての「あげる」についての情報を適切に検索して表示できるようになる。
【００８０】
図１０は、前記携帯機器（電子辞書）１０での全辞書目次検索処理に伴うキーワード１「煙草（タバコ、たばこ）」＋キーワード２「生活（せいかつ）」の入力操作表示状態および当該キーワード１＋２に従った全辞書目次検索表示状態（その１）を示す図である。
【００８１】
例えば「生活」と「煙草」について表現の仕方についての情報を全辞書・辞典・書籍データ（１２ｂ＋１２ｃ）を元にして検索したい場合に、図１０（Ａ）に示すようなキーワード入力画面Ｇ１、および図１０（Ｂ）に示すような候補キーワードの一覧画面Ｇ２を経て、図１０（Ｃ）に示すように、キーワード１「煙草（タバコ、たばこ）」およびキーワード２「生活（せいかつ）」が入力表示され「決定」キー１６ｂが操作されると（ステップＳ１〜Ｓ７）、前記同様に図４における該当目次リスト取得処理（ステップＳＡ）に移行され、当該キーワード１「煙草（タバコ、たばこ）」＋キーワード２「生活（せいかつ）」に対応した内容を有する各説明情報付き目次データが検索一覧表示される（ステップＳＡ〜Ｓ９）。
【００８２】
すなわち、前記２つのキーワード「煙草（タバコ、たばこ）」「生活（せいかつ）」が入力された場合には、例えばその説明情報にキーワード２「生活（せいかつ）」を含み、その上位階層の目次（含む書籍名）の何れかにキーワード１「煙草（タバコ、たばこ）」を含む「語の意味・コラム」Ｔ１のジャンル内での各書籍データからその各説明情報付き目次データ（見出し）が検索されるようになり、図１０（Ｄ）に示すような検索目次一覧画面Ｇ３ａとして表示される（ステップＳＡ→Ｓ９）。
【００８３】
そして、この表示部１７の左エリアに表示された検索目次一覧画面Ｇ３ａにおいて、上下カーソルキーのユーザ操作に応じて任意の目次データ（「続知識」煙草入れ（たばこい〜））が反転カーソルＫにより指定表示されると（ステップＳ１２，Ｓ１３）、当該指定表示された目次データ（「続知識」煙草入れ（たばこい〜））の説明情報が指定目次内容プレビュー画面Ｇ３ｂとして表示部１７の右エリアに表示される（ステップＳ１４，Ｓ１５）。
【００８４】
ここで、右カーソルキー１６ｄが操作されると、図１０（Ｅ）に示すように、表示画面上部に設けられた書籍ジャンルの選択タブＴnが前記「語の意味・コラム」Ｔ１から「英語の表現」Ｔ２に切り替えられて表示される（ステップＳ３５→Ｓ３６）。
【００８５】
すると、再び前記図４における該当目次リスト取得処理（ステップＳＡ）に移行され、例えばその説明情報にキーワード２「生活（せいかつ）」を含み、その上位階層の目次（含む書籍名）の何れかにキーワード１「煙草（タバコ、たばこ）」を含む「英語の表現」Ｔ２のジャンル内での各書籍データからその各説明情報付き目次データ（見出し）が検索されるようになり、図１０（Ｅ）に示すような検索目次一覧画面Ｇ３ａとして表示される（ステップＳＡ→Ｓ９）。
【００８６】
そして、この表示部１７の左エリアに表示された検索目次一覧画面Ｇ３ａにおいて、先頭の目次データ（［とっさ］たばこはやめたよ。）が反転カーソルＫにより指定表示されると（ステップＳ１０）、当該指定表示された目次データ（［とっさ］たばこはやめたよ。）の「英語の表現」である説明情報が指定目次内容プレビュー画面Ｇ３ｂとして表示部１７の右エリアに表示される（ステップＳ１１）
そして、この表示部１７の左エリアに表示された検索目次一覧画面Ｇ３ａにおいて、図１０（Ｆ）に示すように、上下カーソルキーのユーザ操作に応じて任意の目次データ（［ＭＡＫＥ］酒とたばこ／…）が反転カーソルＫにより指定表示されると（ステップＳ１２，Ｓ１３）、当該指定表示された目次データ（［ＭＡＫＥ］酒とたばこ／…）の説明情報が指定目次内容プレビュー画面Ｇ３ｂとして表示部１７の右エリアに表示される（ステップＳ１４，Ｓ１５）。
【００８７】
このように、複数のキーワード「煙草（タバコ、たばこ）」「生活（せいかつ）」を入力して目次検索処理が実行されると、当該複数のキーワード「煙草（タバコ、たばこ）」「生活（せいかつ）」の何れか一方のキーワードが含まれ且つその他方のキーワードが上位階層の目次データに含まれる各説明情報付き目次データが全辞書・辞典・書籍データ（１２ｂ＋１２ｃ）の中から検索され、検索目次一覧画面Ｇ３ａとして各対応する書籍名アイコンと共に表示されると共に、反転カーソルＫにより指定されたところの説明情報を全画面表示するので、この検索表示された説明情報の内容に前記入力された複数のキーワード「煙草（タバコ、たばこ）」「生活（せいかつ）」のうち一方のみしか含まれていなくても、「生活」と「煙草」について表現の仕方についての情報を適切に検索して表示できる。しかも書籍ジャンル選択タブＴnの切り替え操作に応じて容易に目次検索対象の書籍ジャンルを切り替えて再検索表示できるようになる。
【００８８】
図１１は、前記携帯機器（電子辞書）１０での全辞書目次検索処理に伴うキーワード１「煙草（タバコ、たばこ）」＋キーワード２「生活（せいかつ）」に従った全辞書目次検索表示状態（その２）を示す図である。
【００８９】
前記図１０（Ａ）〜（Ｄ）と同様に、２つのキーワード「煙草（タバコ、たばこ）」「生活（せいかつ）」の入力に応じて、「語の意味・コラム」Ｔ１のジャンル内での各書籍データからその各説明情報付き目次データ（見出し）が検索され、図１１（Ａ）に示すような検索目次一覧画面Ｇ３ａとして表示されると共に（ステップＳ１〜Ｓ９）、上下カーソルキーのユーザ操作に応じて任意の目次データ（［続知識］煙草入れ（たばこい〜））が反転カーソルＫにより指定表示される（ステップＳ１２，Ｓ１３）。そして、当該指定表示された目次データ（「続知識」煙草入れ（たばこい〜））の説明情報が指定目次内容プレビュー画面Ｇ３ｂとして表示部１７の右エリアに表示された状態で（ステップＳ１４，Ｓ１５）、「決定」キー１６ｂが操作されると（ステップＳ１６）、図１１（Ｂ）に示すように、前記指定表示の目次データ（［続知識］煙草入れ（たばこい〜））に対応した説明情報が読み出され全画面表示Ｇ４として表示される（ステップＳ１７→Ｓ２３）。
【００９０】
一方、前記図１１（Ａ）で示した検索目次一覧画面Ｇ３ａおよびその指定目次内容プレビュー画面Ｇ３ｂのウインドウ表示状態において、入力部１６において書籍内上位目次キーとして機能する「シフト」＋「左カーソル」キー１６ｆ′が操作されると（ステップＳ２５）、現在指定表示中の目次データ（［続知識］煙草入れ（たばこい〜））の書籍データ［続知識］における上位階層にある各目次データ「印籠（いんろう）」「根付（ねつけ）」…が読み出され、図１１（Ｃ）に示すように、上位目次一覧画面Ｇ３ｃとして右エリアにウインドウ表示される（ステップＳ２６）。
【００９１】
そして、「決定」キー１６ｂが操作されると、図１１（Ｄ）に示すように、前記上位目次一覧画面Ｇ３ｃとしてウインドウ表示された目次一覧を有する書籍データ［続知識］の中に入り、当該書籍［続知識］の各目次データが検索目次一覧画面Ｇ３ａとして左エリアに表示されると共に（ステップＳ２７→Ｓ２８）、反転カーソルＫにより指定表示中の目次データ（［続知識］煙草入れ（たばこい〜））についての説明情報が読み出され指定目次内容プレビュー画面Ｇ３ｂとしてウインドウ表示される（ステップＳ２９）。
【００９２】
さらに、前記図１１（Ｃ）で示した（［続知識］煙草入れ（たばこい〜））に対応する同一書籍［続知識］内での上位目次一覧画面（「印籠（いんろう）」「根付（ねつけ）」「小田原提灯（おだわらちょうちん）」…）Ｇ３ｃの表示状態にあって、前記同様に書籍内上位目次キーとして機能する「シフト」＋「左カーソル」キー１６ｆ′が追加操作されると（ステップＳ２５）、現在指定表示中の目次データ（［続知識］煙草入れ（たばこい〜））の同一書籍データ［続知識］におけるさらに上位階層にある各目次データ「日本語のいろいろ」「ちょっと昔の暮らしを知ることば」…が読み出され、図１１（Ｅ）に示すように、もう１階層上の上位目次一覧画面Ｇ３ｃとして右エリアにウインドウ表示される（ステップＳ２６）。
【００９３】
そして、「決定」キー１６ｂが操作されると、図１１（Ｆ）に示すように、前記上位目次一覧画面Ｇ３ｃとしてウインドウ表示された目次一覧を有する書籍データ［続知識］の中に入り、当該目次一覧が記述された書籍［続知識］の各目次データが検索目次一覧画面Ｇ３ａ（この場合には書籍［続知識］の最上位階層となるのでその表紙画面Ｇ５）として表示される（ステップＳ２７→Ｓ２８）。
【００９４】
一方、例えば前記図１１（Ｅ）で示した検索目次一覧画面Ｇ３ａおよび指定目次の書籍に対応する上位目次一覧画面Ｇ３ｃの表示状態にあって、入力部１６において書籍内下位目次キーとして機能する「シフト」＋「右カーソル」キー１６ｄ′が操作されると（ステップＳ３０）、図１１（Ｃ）で示したように、現在指定表示中の目次データ（［続知識］煙草入れ（たばこい〜））の書籍データ［続知識］における１階層下にある各目次データ「印籠（いんろう）」「根付（ねつけ）」…が読み出された、下位の目次一覧画面Ｇ３ｃ′に切り替えられてウインドウ表示される（ステップＳ３１）。
【００９５】
この図１１（Ｃ）で示す下位の目次一覧画面Ｇ３ｃ′にあって、さらに書籍内下位目次キーとして機能する「シフト」＋「右カーソル」キー１６ｄ′が追加操作されると（ステップＳ３０）、図１１（Ａ）で示したように、現在指定表示中の目次データ（［続知識］煙草入れ（たばこい〜））の書籍データ［続知識］における１階層下にある目次データ（この場合には目次データ（［続知識］煙草入れ（たばこい〜））の最下位層である説明情報の指定目次内容プレビュー画面Ｇ３ｂ）が下位の目次一覧画面Ｇ３ｃ′として表示部１７の右エリアに切り替え表示される（ステップＳ３１）。
【００９６】
なお、前記書籍内下位目次キーとして機能する「シフト」＋「右カーソル」キー１６ｄ′の操作に応じて順次下位層の目次一覧画面Ｇ３ｃ′が表示された状態で「決定」キー１６ｂが操作された場合には（ステップＳ３２）、指定表示中の書籍の目次データにおける下位の目次データが一覧表示され（ステップＳ３３）、反転カールＫにて指定表示される目次に対応した説明情報がプレビュー表示される（ステップＳ３４）。
【００９７】
すなわち、入力されたキーワードに対応する検索目次一覧画面Ｇ３ａにおいて任意の書籍の目次データが指定表示されている状態で、書籍内上位目次キーとして機能する「シフト」＋「左カーソル」キー１６ｆ′が操作された場合には、そのキー操作毎に指定表示中の目次データの書籍における上位階層の目次一覧表示（Ｇ３ｃ）が行われるようになり、また逆に書籍内下位目次キーとして機能する「シフト」＋「右カーソル」キー１６ｄ′が操作された場合には、そのキー操作毎に指定表示中の目次データの書籍における下位階層の目次一覧表示（Ｇ３ｃ′）が行われるようになり、検索表示された目次データから容易にその上位層またはその下位層の説明情報付き目次一覧表示へと切り替えることができる。
【００９８】
図１２は、前記携帯機器（電子辞書）１０での全辞書目次検索処理に伴うキーワード１「市」＋キーワード２「中心」に従った全辞書目次検索表示状態を示す図である。
【００９９】
例えば全国の「市」とその「中心」についての特徴的な情報を全辞書・辞典・書籍データ（１２ｂ＋１２ｃ）を元にして検索したい場合に、図１２（Ａ）に示すようなキーワード入力画面Ｇ１に従い、キーワード１「市」およびキーワード２「中心」が入力表示され「決定」キー１６ｂが操作されると（ステップＳ１〜Ｓ７）、前記同様に図４における該当目次リスト取得処理（ステップＳＡ）に移行され、当該キーワード１「市」＋キーワード２「中心」に対応した内容を有する各説明情報付き目次データが検索されて、図１２（Ｂ）に示すような検索目次一覧画面Ｇ３ａとして表示される（ステップＳＡ〜Ｓ９）。
【０１００】
この際、例えば検索対象のデータベースにある書籍データ「全国方言一覧辞典」の第２階層の目次データにおいて、入力されたキーワード１「市」及び２「中心」を含み且つその上位の目次データが「都道府県別方言ランキング」として同一である複数の同種の目次「［北海道］小樽市を中心に」「［青森県］弘前市を中心に」「［岩手県］盛岡市を中心に」…が検索されるが、前記該当目次リスト取得処理（図４参照）でのステップＡ１３において、直上の目次データが同じである検索目次については纏め処理され、しかもステップＳ９において、当該纏め処理された目次データについてはその上位の目次データが検索目次一覧画面Ｇ３ａ上に表示処理されるので、この場合には、当該上位の目次データ「都道府県別方言ランキング」がその書籍名アイコン［方言］に対応付けられて表示される。
【０１０１】
すると、この検索目次一覧画面Ｇ３ａ上の先頭の目次データ「［方言］都道府県別方言ランキング」が反転カーソルＫにより指定表示され（ステップＳ１０）、当該指定表示された目次データ「［方言］都道府県別方言ランキング」の説明情報として、この場合には下位の各目次データ「［北海道］小樽市を中心に」「［青森県］弘前市を中心に」「［岩手県］盛岡市を中心に」…が指定目次内容プレビュー画面Ｇ３ｂとして表示部１７の右エリアに表示される（ステップＳ１１）。
【０１０２】
この図１２（Ｂ）で示す指定目次内容プレビュー画面Ｇ３ｂの表示状態にあって、「決定」キー１６ｂが操作されると（ステップＳ１６）、図１２（Ｃ）に示すように、前記指定表示の目次データ「［方言］都道府県別方言ランキング」に対応した下位の目次データ、つまりこの場合には前記指定目次内容プレビュー画面Ｇ３ｂとして表示された各目次データ「［北海道］小樽市を中心に」「［青森県］弘前市を中心に」「［岩手県］盛岡市を中心に」…が全画面表示Ｇ４として表示される（ステップＳ１７，Ｓ１８）。
【０１０３】
そして、この全画面表示Ｇ４された各目次データのうちで、例えば「［北海道］小樽市を中心に」が反転カーソルＫにより指定表示され「決定」キー１６ｂが操作されると（ステップＳ１９〜Ｓ２２）、図１２（Ｄ）に示すように、当該指定表示された目次データ「［北海道］小樽市を中心に」に対応する説明情報が読み出され全画面表示Ｇ４として表示される（ステップＳ２３）。
【０１０４】
一方、前記図１２（Ｂ）で示す指定目次内容プレビュー画面Ｇ３ｂの表示状態にあって、入力部１６において書籍内上位目次キーとして機能する「シフト」＋「左カーソル」キー１６ｆ′が操作されると（ステップＳ２５）、現在指定表示中の目次データ「［方言］都道府県別方言ランキング」の書籍データ「方言一覧辞典」における上位階層にある各目次データ「項目別方言一覧」「都道府県別方言ランキング」「方言についての概説」が読み出され、図１２（Ｅ）に示すように、上位目次一覧画面Ｇ３ｃとして右エリアにウインドウ表示される（ステップＳ２６）。
【０１０５】
そして、「決定」キー１６ｂが操作されると、図１２（Ｆ）に示すように、前記上位目次一覧画面Ｇ３ｃとしてウインドウ表示された目次一覧を有する書籍データ「方言一覧辞典」の中に入り、当該目次一覧が記述された書籍「方言一覧辞典」の各目次データが検索目次一覧画面Ｇ３ａ（この場合には書籍「方言一覧辞典」の最上位階層となるのでその表紙画面Ｇ５）として表示される（ステップＳ２７→Ｓ２８）。
【０１０６】
この図１２（Ｆ）における検索目次一覧画面Ｇ３ａ（表紙画面Ｇ５）にあって、その最上位の各目次のうち「都道府県別方言ランキング」が指定表示（Ｋ）された状態で、「決定」キー１６ｂが操作されると（ステップＳ１６）、当該指定表示された目次データ「都道府県別方言ランキング」の下位の目次データの一覧「［北海道］小樽市を中心に」「［青森県］弘前市を中心に」「［岩手県］盛岡市を中心に」…が全画面表示Ｇ４として表示される（ステップＳ１７→Ｓ１８）。
【０１０７】
一方、例えば前記図１２（Ｅ）で示した検索目次一覧画面Ｇ３ａおよび指定目次の書籍に対応する上位目次一覧画面Ｇ３ｃの表示状態にあって、入力部１６において書籍内下位目次キーとして機能する「シフト」＋「右カーソル」キー１６ｄ′が操作されると（ステップＳ３０）、図１２（Ｂ）で示したように、現在指定表示中の目次データ「［方言］都道府県別方言ランキング」の書籍「方言一覧辞典」における一階層下にある各目次データ「［北海道］小樽市を中心に」「［青森県］弘前市を中心に」「［岩手県］盛岡市を中心に」…が読み出された、下位の目次一覧画面Ｇ３ｃ′に切り替えられてウインドウ表示される（ステップＳ３１）。
【０１０８】
したがって、前記構成の携帯機器（電子辞書）１０による目次データ検索制御機能によれば、辞書・辞典データメモリ１２ｂおよび他書籍データメモリ１２ｃに記憶された各種の辞典・辞書・専門書などの全書籍データをデータベースとしてユーザ所望の情報（例えば健康に良いトマト料理についての情報）を検索する際に、キーワード入力画面Ｇ１において、当該所望の情報に関する複数のキーワード（キーワード１「トマト」・キーワード２「健康」）を入力して検索「決定」キー１６ｂの操作を行うと（図６（Ｅ）参照）、各書籍データ中の階層的目次およびその説明情報の中から、複数のキーワードのうち少なくとも１つのキーワードが説明情報に含まれ、且つ他のキーワードが当該説明情報の上位の目次データに含まれる説明情報付きの目次データが検索され、この検索された各目次データがその書籍名を表すアイコンと対応付けられて検索目次一覧画面Ｇ３ａとして一覧表示される（図６（Ｆ）参照）。そして、この検索目次一覧画面Ｇ３ａ上の反転カーソルＫにより指定表示される目次データ（［血液サラサラ］［トマトの玉ねぎ…］）の下位にある説明情報（この場合には［トマトの玉ねぎ・セロリソース］［効能］…）または下位にある目次一覧が指定目次内容プレビュー画面Ｇ３ｂとして表示され、ここで「決定」キー１６ｂの操作を行うと、前記指定の目次の説明情報（または下位にある目次一覧）が全画面表示Ｇ４として表示される（図６（Ｇ）参照）ので、この検索表示された説明情報である［トマトの玉ねぎ・セロリソース］の内容に前記入力された複数のキーワード「トマト」「健康」のうち一方のみしか含まれていなくても、健康に良いトマト料理についての情報を適切に検索して表示できるようになる。
【０１０９】
また、前記構成の携帯機器（電子辞書）１０による目次データ検索制御機能によれば、入力された複数のキーワード（例えばキーワード１「市」・キーワード２「中心」）に対応した説明情報付き目次データが検索された際に（図１２（Ａ）（Ｂ）参照）、その上位の目次データが「都道府県別方言ランキング」として同一である複数の同種の目次「［北海道］小樽市を中心に」「［青森県］弘前市を中心に」「［岩手県］盛岡市を中心に」…が検索された場合には、当該直上の目次データが同じである検索目次については纏め処理され、この纏め処理された検索目次データについてはその上位の目次データ「都道府県別方言ランキング」が検索目次一覧画面Ｇ３ａ上に表示処理されるので、限られた表示画面領域を有効に使用してより多くの検索目次データを含む検索目次一覧画面Ｇ３ａを表示できるようになる。
【０１１０】
しかも、この検索目次一覧画面Ｇ３ａにおいて、前記纏め処理されたところの上位目次データ「都道府県別方言ランキング」を反転カーソルＫにより指定表示させれば、当該纏め処理された同種の目次「［北海道］小樽市を中心に」「［青森県］弘前市を中心に」「［岩手県］盛岡市を中心に」…の一覧を指定目次内容プレビュー画面Ｇ３ｂとして表示させ確認することができる。
【０１１１】
また、前記構成の携帯機器（電子辞書）１０による目次データ検索制御機能によれば、複数のキーワードに対応して検索表示された検索目次一覧画面Ｇ３ａにあって、任意の目次が反転カーソルＫにより指定表示されその指定目次内容プレビュー画面Ｇ３ｂがウインドウ表示された状態で（図１１（Ａ）参照）、書籍内上位目次キーとして機能する「シフト」＋「左カーソル」キー１６ｆ′が操作されると、現在指定表示中の目次データ（［続知識］煙草入れ（たばこい〜））のある書籍［続知識］における上位階層の各目次データ「印籠（いんろう）」「根付（ねつけ）」…が読み出され、上位目次一覧画面Ｇ３ｃとしてウインドウ表示され、さらに前記「シフト」＋「左カーソル」キー１６ｆ′が繰り返し操作されると、前記上位目次一覧画面Ｇ３ｃとしての書籍［続知識］の各目次データ「印籠（いんろう）」「根付（ねつけ）」…よりさらに上位階層の各目次データ「日本のいろいろ」「ちょっと昔の暮らしを知ることば」…が読み出され、より上位の目次一覧画面Ｇ３ｃとしてウインドウ切り替え表示されるので、検索一覧表示された各書籍の目次データから容易に指定の書籍の上位階層の目次一覧表示へと切り替えることができ、ユーザ所望の説明情報付き目次検索からその興味ある目次の書籍内へと容易に入って行くことができる。
【０１１２】
なお、前記各実施形態において記載した携帯機器（電子辞書）１０による各処理の手法、すなわち、図２のフローチャートに示す全辞書目次検索処理（その１）、図３のフローチャートに示す全辞書目次検索処理（その２）、図４のフローチャートに示す前記全辞書目次検索処理（その１）に伴う該当目次リスト取得処理などでの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体１３に格納して配布することができる。そして、辞書・辞典・他書籍のデータベース（１２ｂ，１２ｃ）を有する種々のコンピュータ端末装置は、この外部記憶媒体１３に記憶されたプログラムを記憶装置（１２）に読み込み、この読み込んだプログラムによって動作が制御されることにより、前記各実施形態において説明した目次データ検索制御機能を実現し、前述した手法による同様の処理を実行することができる。
【０１１３】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末装置（プログラムサーバ）２０から前記のプログラムデータを取り込み、前述した目次データ検索制御機能を実現することもできる。
【０１１４】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１１５】
【図１】本発明の目次データ検索制御装置の実施形態に係る携帯機器（電子辞書）１０の電子回路の構成を示すブロック図。
【図２】前記携帯機器（電子辞書）１０による全辞書目次検索処理（その１）を示すフローチャート。
【図３】前記携帯機器（電子辞書）１０による全辞書目次検索処理（その２）を示すフローチャート。
【図４】前記携帯機器（電子辞書）１０での全辞書目次検索処理（その１）に伴う該当目次リスト取得処理を示すフローチャート。
【図５】前記携帯機器（電子辞書）１０での全辞書目次検索処理（その１）に伴うキーワード１「トマト」の入力操作表示状態を示す図。
【図６】前記携帯機器（電子辞書）１０での全辞書目次検索処理（その１）（その２）に伴うキーワード２「健康」の入力操作表示状態および当該キーワード１＋２に従った全辞書目次検索表示状態を示す図。
【図７】前記携帯機器（電子辞書）１０での全辞書目次検索処理（その１）（その２）に伴いキーワード検索される説明情報付き目次データの各「見出し」に対応した各辞典・辞書・書籍名とその目次の階層構造を示す図。
【図８】前記携帯機器（電子辞書）１０での全辞書目次検索処理（その１）に伴うキーワード１「敬語」の入力操作表示状態を示す図。
【図９】前記携帯機器（電子辞書）１０での全辞書目次検索処理（その１）（その２）に伴うキーワード２「あげる」の入力操作表示状態および当該キーワード１＋２に従った全辞書目次検索表示状態を示す図。
【図１０】前記携帯機器（電子辞書）１０での全辞書目次検索処理に伴うキーワード１「煙草（タバコ、たばこ）」＋キーワード２「生活（せいかつ）」の入力操作表示状態および当該キーワード１＋２に従った全辞書目次検索表示状態（その１）を示す図。
【図１１】前記携帯機器（電子辞書）１０での全辞書目次検索処理に伴うキーワード１「煙草（タバコ、たばこ）」＋キーワード２「生活（せいかつ）」に従った全辞書目次検索表示状態（その２）を示す図。
【図１２】前記携帯機器（電子辞書）１０での全辞書目次検索処理に伴うキーワード１「市」＋キーワード２「中心」に従った全辞書目次検索表示状態を示す図。
【符号の説明】
【０１１６】
１０  …携帯機器（電子辞書）
１１  …ＣＰＵ
１２  …メモリ
１２ａ…辞書制御プログラム
１２ｂ…辞書・辞典データメモリ
１２ｃ…他書籍データメモリ
１２ｄ…検索文字データメモリ
１２ｅ…キーワードデータメモリ
１２ｆ…検索リストデータメモリ
１２ｇ…ワークエリア
１３  …外部記憶媒体
１４  …記憶媒体読取部
１５  …通信部
１６  …入力部
１７  …表示部
２０  …Ｗｅｂサーバ（辞書管理サーバ）
Ｎ  …通信ネットワーク（インターネット）
Ｇ１  …キーワード入力画面
Ｇ２  …候補キーワード一覧画面
Ｇ３ａ…検索目次一覧画面
Ｇ３ｂ…指定目次内容プレビュー画面
Ｇ３ｃ…上位目次一覧画面
Ｇ３ｃ′…下位目次一覧画面Ｇ３ｃ′
Ｇ４  …全画面表示
Ｋ  …反転カーソル
【図１】
0004715476.tif 000002
【図２】
0004715476.tif 000003
【図３】
0004715476.tif 000004
【図４】
0004715476.tif 000005
【図５】
0004715476.tif 000006
【図６】
0004715476.tif 000007
【図７】
0004715476.tif 000008
【図８】
0004715476.tif 000009
【図９】
0004715476.tif 000010
【図１０】
0004715476.tif 000011
【図１１】
0004715476.tif 000012
【図１２】
0004715476.tif 000013